(57)【要約】      （修正有）【課題】眼鏡レンズの正確な屈折特性を測定するレンズメータを提供する。【解決手段】メガネ５のレンズ（眼鏡レンズＬＬ，ＲＬ）に測定光束を投影する投影光学系（４７Ｌ，４７Ｒ）、前記メガネ５のレンズを通過した測定光束を受光する受光素子（ＣＣＤ６０）が設けられた受光光学系（４８Ｌ，４８Ｒ）を備える測定光学系（ＳＬ，ＳＲ）と、前記投影光学系と前記受光光学系との間に配設される前記メガネ５のレンズを支持させるレンズ（レンズ受軸８６）受を備え、前記レンズ受に支持される前記メガネ５にそれぞれ前後から当接して持する保持部材２８，２９と、前記レンズ受を前記測定光学系の測定光路と該測定光路外の退避位置で移動可能にするレンズ受機構８０と、前記メガネ５が前記保持部材により前後から挟持された後に、前記レンズ受機構８０を制御して前記レンズ受を前記退避位置に退避させる制御回路（演算制御回路６９）を有する。【選択図】図４
2006098409.tif 000002
【特許請求の範囲】
【請求項１】
メガネのレンズに測定光束を投影する投影光学系、及び、前記メガネのレンズを通過した測定光束を受光する受光素子が設けられた受光光学系を備える測定光学系と、
前記投影光学系と前記受光光学系との間に配設される前記メガネのレンズを支持させるレンズ受を備えるレンズメータにおいて、
前記レンズ受に支持される前記メガネにそれぞれ前後から当接して前記メガネを前後から挟持する保持部材と、
前記レンズ受を前記測定光学系の測定光路と該測定光路外の退避位置で移動可能に移動可能にするレンズ受機構と、
前記メガネが前記保持部材により前後から挟持された後に、前記レンズ受機構を制御して前記レンズ受を前記退避位置に退避させる制御回路を有することを特徴とするレンズメータ。
【請求項２】
前記測定光学系は左右一対設けられていることを特徴とする請求項１に記載のレンズメータ。
【請求項３】
前記左右の測定光学系の測定光路に前記レンズ受をそれぞれ位置させたときに前記レンズ受間に位置する鼻当支持機構が設けられていることを特徴とする請求項２に記載のレンズメータ。
【発明の詳細な説明】
【技術分野】
【０００１】
この発明は、メガネ（眼鏡）の左右の眼鏡レンズの屈折特性を２つの測定光学系で個々に測定できるようにしたレンズメータに関するものである。
【背景技術】
【０００２】
従来のレンズメータは、本体ケースの前面の上部及び下部に上下に間隔を置いて突設された上収納突部及び下収納突部と、この下収納突部の上面に設けられた一つのレンズ受と、左右に延び且つレンズ受に対して前後に移動操作可能に本体ケースに装着されたレンズテーブルと、レンズテーブルに左右動可能且つ上下動可能に装着された鼻当支持部材と、レンズ受に載置されるレンズの屈折特性を測定する測定光学系を有するものが知られている。このレンズメータにおいて測定光学系は、本体ケース及び上収納突部内に設けられた照明光学系と、下収納突部及び本体ケース内に設けられた受光光学系を備えている。
【０００３】
そして、このレンズメータにおいては、メガネの鼻当を鼻当支持部材に支持させると共にメガネフレームの左右のレンズ枠をレンズテーブルの前面に当接させて、鼻当支持部材を左右及び上下に移動操作すると共にレンズテーブルを前後に移動操作して、左右の眼鏡レンズの一方をレンズ受に当接させ、測定光学系により一方の眼鏡レンズの屈折特性を測定するようにしている。また、他方の眼鏡レンズを測定する場合には、他方の眼鏡レンズをレンズ受に当接するようにメガネフレームを上述と同様に移動操作していた。
【発明の開示】
【発明が解決しようとする課題】
【０００４】
しかしながら、従来のレンズメータでは、左右の眼鏡レンズを測定する場合、一つのレンズ受に対して眼鏡レンズを入れ替えて当接支持させる必要があり、面倒であった。
【０００５】
これを解消するものとしては、メガネの左右の眼鏡レンズを測定する光学系を一対設けることが考えられる。この場合、各受光光学系の測定光軸上においては、眼鏡レンズの正確な屈折特性を測定するために、眼鏡レンズの下面と受光光学系の受光手段までの距離を一定にする必要がある。
【０００６】
そこで、この発明は、メガネの左右の眼鏡レンズを測定する光学系の測定光軸上において眼鏡レンズの下面と受光光学系の受光手段までの距離を簡易な構成で一定にして、眼鏡レンズの正確な屈折特性を測定することができるレンズメータを提供することを目的とするものである。
【課題を解決するための手段】
【０００７】
この目的を達成するため、請求項１の発明は、メガネのレンズに測定光束を投影する投影光学系、及び、前記メガネのレンズを通過した測定光束を受光する受光素子が設けられた受光光学系を備える測定光学系と、前記投影光学系と前記受光光学系との間に配設される前記メガネのレンズを支持させるレンズ受を備えるレンズメータにおいて、前記レンズ受に支持される前記メガネにそれぞれ前後から当接して前記メガネを前後から挟持する保持部材と、前記レンズ受を前記測定光学系の測定光路と該測定光路外の退避位置で移動可能に移動可能にするレンズ受機構と、前記メガネが前記保持部材により前後から挟持された後に、前記レンズ受機構を制御して前記レンズ受を前記退避位置に退避させる制御回路を有するレンズメータとしたことを特徴とする。
【０００８】
また、請求項２の発明は、前記測定光学系は左右一対設けられていることを特徴とする請求項１に記載のレンズメータ。
【０００９】
更に、請求項３の発明は、前記左右の測定光学系の測定光路に前記レンズ受をそれぞれ位置させたときに前記レンズ受間に位置する鼻当支持機構が設けられていることを特徴とする。
【発明の効果】
【００１０】
この構成によれば、メガネの左右の眼鏡レンズを測定する光学系の測定光軸上において眼鏡レンズの下面と受光光学系の受光手段までの距離を簡易な構成で一定にして、眼鏡レンズの正確な屈折特性を測定することができる。
【発明の実施の形態１】
【００１１】
以下、この発明の実施の形態１を図面に基づいて説明する。
[構成]
＜装置本体＞
図１は本発明に係わるレンズメーターの外観図である。その図１において、１は装置本体（本体ケース）である。この装置本体１は、上部筐体部２と下部筐体部３及びこれらを連設している連設筐体部４から側面形状が略コ字状に形成されている。この上部筐体部２と下部筐体部３との間は、メガネ（眼鏡）５のセット空間６とされている。
＜メガネ＞
このメガネ５は、本実施例では、メガネフレームＭＦ、メガネフレームＭＦの左右のレンズ枠ＬＦ，ＲＦに枠入れされた眼鏡レンズＬＬ，ＲＬと、左右のレンズ枠ＬＦ，ＲＦを連設しているブリッジＢと、左右のレンズ枠ＬＦ，ＲＦ等に設けられる鼻当（図示せず）と、左右のレンズ枠ＬＦ，ＲＦに設けられたテンプルＬＴ，ＲＴを有する。
【００１２】
また、下部筐体部３の上壁７には左右両端部まで延びる開口８が図１，図３に示したように形成されている。この上壁７は、開口８により前側上壁部７ａと後側上壁７ｂに分けられている。この開口８の左右の下方には、図３に示したレンズ受機構８０が配設されている。
＜レンズ受機構８０＞
このレンズ受機構８０は、左側レンズ受機構８０Ｌと右側レンズ受機構８０Ｒを有する。このレンズ受機構８０は、上述の下筐体部３内に収容される。また、左側レンズ受機構８０Ｌと右側レンズ受機構８０Ｒは構成が同一であるので、同じ符号を付して、一方の構成についてのみ説明する。
【００１３】
この左側レンズ受機構８０Ｌは、回転出力軸８１ａが鉛直（上下）に向けられた駆動モータやロータリーソレノイド等の駆動装置（駆動手段）８１と、出力軸８１ａの上端部に設けられた回転台８２と、回転台８２上に鉛直方向（上下方向）に向けて取り付けられた昇降手段８３と、昇降手段８３により昇降駆動される支持軸８４と、支持軸８４の上端部に水平方向に向けて取り付けられたアーム８５と、アーム８５の先端部に上方に向けて鉛直に取り付けられた棒状のレンズ受軸（レンズ受）８６を有する。このレンズ受軸８６の上端部には半球状のレンズ受部８６ａが形成されている。
【００１４】
このレンズ受機構８０Ｌ，８０Ｒのレンズ受軸８６，８６の上端の高さは同じに設定されている。即ち、レンズ受機構８０Ｌ，８０Ｒの半球状のレンズ受部８６ａ，８６ａの上端の高さは同じに設定されている。
【００１５】
尚、昇降手段８３としては、油圧シリンダやソレノイド或いは駆動モータとネジを用いた送り機構等を用いることができる。
＜レンズ押さえ機構＞
このレンズ受軸８６，８６上に支持された眼鏡レンズＬＬ，ＲＬは、図１，図２，図５に示したレンズ押さえ機構１３により押さえられる様になっている。
【００１６】
このレンズ押さえ機構１３は、図２に示したように下筐体部３の側壁３ａ，３ａの内壁面に前後に向けて水平に固定されたガイドレール１４，１４と、ガイドレール１４，１４上に両端部が前後動自在に保持されたカム部材１５を有する。また、レンズ押さえ機構（レンズ保持手段）１３は、図５に示したように、一方のカム部材１４の後部に一体に設けられたラック１６と、ラック１６に噛合させられたギヤ１７と、ギヤ１７と一体に設けられ且つ図１に示したように側壁３ａに回転自在に保持された支持軸１８と、支持軸１８に取り付けられた操作レバー１９を有する。
【００１７】
更に、レンズ押さえ機構１３は、図５に示したように、後上壁７ｂに取り付けられたブラケット２０と、ブラケット２０の下端部に保持された軸保持部材２１と、軸保持部材２１に上下動自在保持され且つ後上壁７ｂを上下に貫通する支持軸２２と、軸保持部材２１と後上壁７ｂとの間に位置して支持軸２２に一体に形成されたフランジ２２ａと、フランジ２２ａと後上壁７ｂとの間に介装されて支持軸２２を下方にバネ付勢しているコイルスプリング（付勢手段）２３を有する。また、レンズ押さえ機構１３は、支持軸１３の上端部に前後に延びる水平軸線を中心に回転自在に保持された回動支持軸２４と、回動支持軸２４の前端部に一体に設けられたコ字状の支持部材２５と、支持部材２５の両側の支持軸部２５ａ，２５ａに下方に向けて保持されたレンズ押さえ軸（レンズ押さえ部材）２６，２６を有する。このレンズ押さえ軸２６，２６は、ゴム・合成樹脂等の眼鏡レンズが傷つかない材料から形成されている。
【００１８】
操作レバー１９が図１の如く起立している状態では、カム部材１５が図５の位置にあって、レンズ押さえ軸２６，２６が図３の如く上方に大きく離反させられている。そして、操作レバー９を図１の矢印２７の如く手前側に倒すことにより、ギヤ１７がラック１６を図５中右方に移動変位させ、カム部材１５がラック１６と一体に右方に変位して、支持軸２２，支持部材２５及びレンズ押さえ軸２６，２６がコイルスプリング２３のバネ力により下方に変位させられる。
＜メガネフレーム保持機構＞
また、装置本体１には、レンズ受９Ｌ，９Ｒに眼鏡レンズＬＬ，ＲＬがそれぞれ支持されたメガネ５のメガネフレームＭＦを保持するフレーム保持機構が設けられている。
【００１９】
このフレーム保持機構は、フレーム前後方向位置決機構（レンズ枠前後方向位置決機構）と、フレーム保持部材２８，２９の左右方向中間部に取り付けられた鼻当支持機構３０（図８参照）を有する。
（フレーム前後方向位置決機構）
このレンズ枠位置決機構は、左右に延び且つ前側上壁部７ａと後側上壁７ｂ上に配設された一対のフレーム保持部材（レンズ保持部材、レンズ枠保持部材）２８，２９を有する。
【００２０】
また、前側上壁部７ａの左右の部分には、図１に示したように前後方向に延びるスリット３１，３１が形成されている。このスリット３１には図６，図７に示したようにフレーム保持部材２８と一体の可動部材３２が挿通されている。同様に後側上壁７ｂにも図６，図７に示したようにスリット３３が形成され、スリット３３には図６，図７に示したようにフレーム保持部材２９と一体の可動部材３４が挿通されている。
【００２１】
また、下筐体部３内の両側には、前後に延び且つ可動部材３２，３４を貫通するガイド軸３５，３５が配設されている。このガイド軸３５，３５は下筐体部３に図示しない位置で固定されている。しかも、可動部材３２，３３は、これらの間に介装した引張りコイルスプリング３６により、互いに接近する方向にバネ付勢されている。この一方のガイド軸３５には、可動部材３２，３３間に位置して一対のスライド部材３７，３８が軸線方向に進退移動可能に保持されている。
【００２２】
また、側壁３ａには、駆動モータ（駆動手段）３９が固定され、この駆動モータ３９により回転駆動される駆動軸４０には軸線方向に間隔をおいて左ネジ部４０ａ及び右ネジ部４０ｂが形成され、左ネジ部４０ａはスライド部材３７を貫通した状態で螺着され、右ネジ部４０ｂはスライド部材３８を貫通した状態で螺着されている。
【００２３】
この左ネジ部４０ａ及び右ネジ部４０ｂの作用により、駆動軸４０が正回転するとスライド部材３７，３８は互いに同量接近し、駆動軸４０が逆回転するとスライド部材３７，３８は互いに同量離反するようになっている。このスライド部材３７，３８の挟持面には、ゴム等の滑り止め作用のある材料の被膜又は層を設けておくと良い。
（鼻当支持機構３０）
鼻当支持機構３０は、図９の如くフレーム保持部材２９の左右方向中央に取り付けられた支持軸４１と、支持軸４１に上下回動可能に保持された回動板４２と、図９，図１０の如く支持軸４１に捲回され且つ回動板４２を上方に回動付勢しているネジリコイルバネ４３と、図１１の如く回動板４２の先端部に保持された支持軸４４と、図１１，図１２の如く支持軸４４に回動自在に保持された鼻当支持部材４５と、支持軸４４に捲回され且つ鼻当支持部材４５を上方に回動付勢しているネジリコイルバネ４６を有する。
【００２４】
鼻当支持部材４５は、図１２（ｂ）に示したように左右の側面４５ａ，４５ａが下方に向かうに従って拡開するようなテーパ状のもの、或いは図１２（ｃ）に示したような蒲鉾状のものを用いることができる。この鼻当当接部材４５に、メガネ５の左右のレンズ枠ＬＦ，ＲＦの鼻当ＮＰ，ＮＰが当接支持される。そして、この鼻当支持部材４５にメガネ５の鼻当ＮＰ，ＮＰを支持させることにより、メガネ５のブリッジＢを装置本体１の左右方向の中央に位置させて、このメガネ５の眼鏡レンズＬＬ，ＬＲを装置本体１の左右に位置する右一対の測定光学系ＳＬ，ＳＲ（図１３参照）の光路に正確に臨ませることができる。
＜測定光学系＞
（左の測定光学系ＳＬ）
測定光学系ＳＬは、上部筐体部２内に内蔵された投光光学系（照明光学系）４７Ｌと、下部筐体部３に内蔵された受光光学系４８Ｌを有する。
【００２５】
投光光学系４７Ｌは、ＬＥＤ４９，５０、コリメートレンズ５１，５２、ダイクロイックミラー５３からなっている。ＬＥＤ４９は赤外光を発し、ＬＥＤ５０は赤色光（波長６３０ｎｍ）を発する。ダイクロイックミラー５３は赤外光を反射し、赤色光を透過する。コリメートレンズ５１，５２はＬＥＤ４９，５０から発生した発散光束を測定光束としての平行光束に変換する役割を果たす。
【００２６】
また、受光光学系４８Ｌは、ハルトマンのパターン板５４、フィールドレンズ５５、反射ミラー５６，５７、光路合成プリズム５８、結像レンズ５９、ＣＣＤ（受光素子、受光手段）６０を有する。パターン板５４には多数の光透過部（図示せず）がマトリックス状に設けられている。
【００２７】
尚、上述したレンズ受機構８０Ｌのレンズ受軸８６の軸線は測定光学系ＳＬの測定光軸と平行に設けられている。
（右の測定光学系ＳＲ）
測定光学系ＳＲは、上部筐体部２内に内蔵された投光光学系（照明光学系）４７Ｒと、下部筐体部３に内蔵された受光光学系４８Ｒを有する。
【００２８】
投光光学系４７Ｒは、ＬＥＤ６１，６２、コリメートレンズ６３，６４、ダイクロイックミラー６５からなっている。ＬＥＤ６１は赤外光を発し、ＬＥＤ６２は赤色光（波長６３０ｎｍ）を発する。ダイクロイックミラー６５は赤外光を反射し、赤色光を透過する。コリメートレンズ６３，６４はＬＥＤ６１，６２から発生した発散光束を測定光束としての平行光束に変換する役割を果たす。
【００２９】
また、受光光学系４８Ｒは、ハルトマンのパターン板６６、フィールドレンズ６７、反射ミラー６８、光路合成プリズム５８、結像レンズ５９、ＣＣＤ（左の測定光学系ＳＬと共通）６０を有する。パターン板６６には多数の光透過部（図示せず）がマトリックス状に設けられている。
【００３０】
尚、上述したレンズ受機構８０Ｒのレンズ受軸８６の軸線は測定光学系ＳＬの測定光軸と平行に設けられている。また、左の測定光学系ＳＬと右の測定光学系ＳＲの受光素子を共通のＣＣＤ６０とすることにより、少ない光学部品で左右の眼鏡レンズＬＬ，ＬＲの屈折特性を略同時に測定できる。更に、本実施例では、左の測定光学系ＳＬと右の測定光学系ＳＲの受光素子を共通のＣＣＤ６０としたが、このＣＣＤ６０は左の測定光学系ＳＬと右の測定光学系ＳＲのそれぞれに個別に設けてもよい。この場合には、左右の眼鏡レンズＬＬ，ＬＲの屈折特性を完全に同時に測定できる。
＜制御回路＞
そして、ＣＣＤ６０からの出力は演算制御回路６９に入力される。この演算制御回路６９からの出力はパソコンＰＣに入力される。また、側壁３ａには操作レバー１９が水平に倒されるのを検出するセンサ７０が設けられていて、このセンサ７０からの出力は演算制御回路６９に入力される。そして、演算制御回路６９は、センサ７０からの検出信号がなくなると、駆動モータ３９を所定時間だけ正転させて、駆動軸４０を正転させるようになっている。しかも、演算制御回路６９は、センサ７０からの検出信号が検出されると、駆動モータ３９を所定時間だけ逆転させて、駆動軸４０を逆転させるようになっている。
[作用]
次に、この様な構成のレンズメータの作用を説明する。
【００３１】
この様な構成において、眼鏡レンズＬＬ，ＬＲを図１の空間６に配置する前は、図３，図４に実線で示したようにレンズ受機構８０Ｌ，８０Ｒのアーム８５，８５の先端同士を互いに対向させておくと共に、レンズ受機構８０Ｌ，８０Ｒのレンズ受軸８６，８６を実線で示した位置まで上昇させて、図３に実線で示したようにレンズ受軸８６，８６の上端部を開口８から上方に突出させておく。また、このレンズ受軸８６，８６の半球状のレンズ受部８６ａ，８６ａの上端の高さは同じに設定される。この位置では、レンズ受軸８６，８６の軸線が左右の測定光学系の光軸ＯＬ，ＯＲと一致するようにしておく。尚、図３中、レンズ押さえ棒２６，２６は、破線で示したようにレンズ受軸８６より上方に離間させられている。そして、実質的には、このレンズ押さえ棒２６，２６とレンズ受軸８６との間にセット空間６が形成されている。
【００３２】
この状態からメガネ５をセット空間６内に入れて、メガネ５の左眼鏡レンズＬＬを左のレンズ受軸８６とレンズ押さえ棒２６，２６との間に配設し、メガネ５の右の眼鏡レンズＬＲを右のレンズ受軸８６とレンズ押さえ棒２６，２６との間に配設する。この際、テンプルＬＴ，ＲＴは下部筐体部３の左右側方に配設される。
【００３３】
そして、メガネ５の左右のレンズ枠ＬＦ，ＲＦの鼻当ＮＰ，ＮＰを鼻当当接部材４５に当接支持させる。これにより、メガネ５の左右の眼鏡レンズＬＬ，ＬＲを左右の測定光学系ＳＬ，ＳＲに対して左右に正確に振り分けることができる。この状態で、この鼻当当接部材４５ネジリコイルバネ４３，４６のバネ力に抗して下方に移動させることにより、図３の如くメガネ５の眼鏡レンズＬＬ，ＬＲの下面（後側屈折面）がレンズ受軸８６，８６の半球状のレンズ受部８６ａ，８６ａ上に点で当接支持させられる。
【００３４】
この状態から、操作レバー９を手前側に倒すと、倒し始めに演算制御回路６９に入力されていたセンサ７０からのレバー検出信号がなくなり、演算制御回路６９は駆動モータ３９を所定時間だけ正転させる。これにより、駆動軸４０が正転させられて、スライド部材３７，３８が駆動軸４０の左ネジ部４０ａ及び右ネジ部４０ｂの作用により互いに接近する方向に移動させられる。
【００３５】
この際、可動枠３２，３４がコイルスプリング３６のバネ力によりスライド部材３７，３８にそれぞれ追従し、フレーム保持部材２８，２９が互いに接近する方向に移動させられる。このフレーム保持部材２８，２９は、左右の測定光学系ＳＬ，ＳＲの光軸ＯＬ，ＯＲに対して同量移動して、光軸ＯＬ，ＯＲまでの距離が等しくなるようになっている。また、この移動に伴い、フレーム保持部材２８，２９が、コイルスプリング３６のバネ力によりメガネ５のメガネフレームＭＦ（レンズ枠ＬＦ，ＲＦ）に当接して、メガネ５のメガネフレームＭＦを前後から保持（挟持）する。
【００３６】
しかも、スライド部材３７，３８は、フレーム保持部材２８，２９がメガネ５のメガネフレームＭＦ（レンズ枠ＬＦ，ＲＦ）に当接した後も、スライド部材３７，３８が駆動軸４０の左ネジ部４０ａ及び右ネジ部４０ｂの作用により図７の位置まで移動させられる。
【００３７】
この位置までの移動は駆動モータ３９の正転時間を設定することで得られる。尚、この位置をスイッチ又はセンサ等の検出手段で検出して、駆動モータ３９を停止させるようにしても良い。
【００３８】
一方、操作レバー９を手前側に倒すと、この操作レバー９の回転がギヤ１７に伝達され、ラック１６が図５中右方に移動させられ、カム部材１５がラック１６と一体に右方に移動させられる。これにより、支持軸２２がコイルスプリング２３のバネ力によりカム部材１５の傾斜面１５ａに沿って降下し、支持軸２２，支持部材２５及びレンズ押さえ軸２６，２６がコイルスプリング２３のバネ力により下方に変位させられる。この際、フレーム保持部材２８，２９がメガネ５のメガネフレームＭＦ（レンズ枠ＬＦ，ＲＦ）に当接して保持するまでは、左右のレンズ押さえ棒２６，２６及び２６，２６が眼鏡レンズＬＬ，ＬＲに当接しないように操作レバー１９を保持している。
【００３９】
そして、フレーム保持部材２８，２９がメガネ５のメガネフレームＭＦ（レンズ枠ＬＦ，ＲＦ）に当接した後、操作レバー１９を水平位置まで手前側に倒して、左右のレンズ押さえ棒２６，２６及び２６，２６を眼鏡レンズＬＬ，ＬＲにそれぞれ上方から当接させて保持する。
【００４０】
この様に操作レバー９を図１の矢印２７の如く手前側に水平に倒すと、ギヤ１７がラック１６を図５R>５中右方に移動変位させ、カム部材１５がラック１６と一体に右方に変位して、支持軸２２，支持部材２５及びレンズ押さえ軸２６，２６がコイルスプリング２３のバネ力によりカム部材１５の上面のカム面に沿って下方に変位させられる。この変位に伴い、左右の各支持部材２５に設けたンズ押さえ機構１３，１３は、レンズ押さえ棒２６，２６のうち一方が先に眼鏡レンズＬＬ（ＬＲ）に当接する。
【００４１】
しかし、回動支持軸２４，支持部材２５及び支持軸２２はコイルスプリング２３で下方にバネ付勢されていると共に、支持部材２５は前後方向に水平な回動支持軸２４を中心に回動可能に支持軸２２に保持されているので、コイルスプリング２３の下方へのバネ付勢力により支持部材２５の左右の部分が回動支持軸２４を中心に上下に回動して、支持部材２５のレンズ押さえ軸２６，２６の他方も眼鏡レンズＬＬ（ＬＲ）に当接して、一対のレンズ押さえ軸２６，２６により眼鏡レンズＬＬ（ＬＲ）の左右の部分をそれぞれ上方から押さえることになる。
【００４２】
次に、レンズ受機構８０Ｌ，８０Ｒの昇降手段８３，８３を作動させて、支持軸８４，８４、アーム８５，８５及びレンズ受軸８６，８６を図３の破線で示した位置まで降下させる。
【００４３】
この状態では、メガネ５のメガネフレームＭＦのブリッジＢが鼻当支持部材２５により下方から支持され、眼鏡レンズＬＬ，ＬＲがレンズ押さえ棒２６，２６及び２６，２６により上方から押さえられていると共に、メガネフレームＭＦがフレーム保持部材２８，２９で前後から保持（挟持）されているので、レンズ受軸８６，８６が降下しても、メガネフレームＭＦの前後方向の位置及び眼鏡レンズＬＬ，ＬＲの上下方向の高さ（位置）がずれることはない。
【００４４】
そして、レンズ受機構８０Ｌ，８０Ｒの駆動装置８１，８１を駆動して回転台８２を回転駆動し、支持軸８４，８４、アーム８５，８５及びレンズ受軸８６，８６を図４の矢印８７，８７で示したように破線の位置まで回動させ、アーム８５，８５及びレンズ受軸８６，８６を測定光学系の光路からそれぞれ退避させる。
【００４５】
この後、演算制御回路６９は、測定光学系ＳＬのＬＥＤ４９，５０を順番に点灯させて、眼鏡レンズＬＬの測定を行う。この際、ＬＥＤ４９からの測定光束は、コリメートレンズ５１により平行光束にされて、ダイクロイックミラー５３により反射して、眼鏡レンズＬＬに投光される。
【００４６】
これに伴い、眼鏡レンズＬＬを透過した測定光束は、パターン板５４を透過して、フィールドレンズ５５、反射ミラー５６，５７、光路合成プリズム５８、結像レンズ５９を介してＣＣＤ６０に案内され、ＣＣＤ６０上にパター板５４のパターン像を結像させる。また、ＬＥＤ５０からの測定光束は、コリメートレンズ５１により平行光束にされて、ダイクロイックミラー５３を透過し、眼鏡レンズＬＬに投光される。これに伴い、眼鏡レンズＬＬを透過した測定光束は、パターン板５４を透過して、フィールドレンズ５５、反射ミラー５６，５７、光路合成プリズム５８、結像レンズ５９を介してＣＣＤ６０に案内され、ＣＣＤ６０上にパター板５４のパターン像を結像させる。そして、演算制御回路６９は、ＣＣＤ６０に結像されたパター像の状態から眼鏡レンズＬＬの各部の屈折特性を測定して、屈折特性のマッピングデータを求める。
【００４７】
この後、演算制御回路６９は、測定光学系ＳＲのＬＥＤ６１，６２を順番に点灯させて、眼鏡レンズＬＲの測定を行う。この際、ＬＥＤ６１からの測定光束は、コリメートレンズ６３により平行光束にされて、ダイクロイックミラー６５により反射して、眼鏡レンズＬＲに投光される。
【００４８】
これに伴い、眼鏡レンズＬＲを透過した測定光束は、パターン板６６を透過して、フィールドレンズ６７、反射ミラー６８、光路合成プリズム５８、結像レンズ５９を介してＣＣＤ６０に案内され、ＣＣＤ６０上にパター板６６のパターン像を結像させる。また、ＬＥＤ６２からの測定光束は、コリメートレンズ６４により平行光束にされて、ダイクロイックミラー６５を透過し、眼鏡レンズＬＲに投光される。これに伴い、眼鏡レンズＬＲを透過した測定光束は、パターン板６６を透過して、フィールドレンズ６７、反射ミラー６８、光路合成プリズム５８、結像レンズ５９を介してＣＣＤ６０に案内され、ＣＣＤ６０上にパター板５４のパターン像を結像させる。そして、演算制御回路６９は、ＣＣＤ６０に結像されたパター像の状態から眼鏡レンズＬＲの各部の屈折特性を測定して、屈折特性のマッピングデータを求める。
【００４９】
この様にして求められた眼鏡レンズＬＬ，ＬＲの屈折特性のマッピングデータはパソコンＰＣに送られて、パソコンＰＣの図示しないモニターに画像表示される。
【００５０】
この様にして、眼鏡レンズＬＬ，ＬＲの屈折特性（光学特性）の測定を行う。尚、上述の様な駆動装置８１や昇降手段８３の作動制御は演算制御回路６９により行わせる。また、アーム８５の回動位置や昇降位置はセンサにより検出して位置決するようにしても良い。
【００５１】
この様にすることで、眼鏡レンズＬＬ，ＬＲの下面の高さをより正確に特定して、左右の各受光光学系の測定光軸上において眼鏡レンズＬＬ，ＬＲの下面と受光光学系の受光手段までの距離をより正確に一定にして、眼鏡レンズの正確な屈折特性を測定することができる。即ち、本実施例の構成により、眼鏡レンズＬＬ，ＬＲの測定光軸上における下面は、眼鏡レンズＬＬ，ＬＲの厚さや、レンズ裏面（下面）のカーブ、フレームの湾曲形状等に左右されることなく、常に同じ高さの位置に配置できるので、左右の各受光光学系の測定光軸上において眼鏡レンズＬＬ，ＬＲの下面と受光光学系の受光手段までの距離をより正確に一定にして、眼鏡レンズの正確な屈折特性を測定することができる。
【００５２】
しかも、眼鏡レンズＬＬ（ＬＲ）の屈折特性（光学特性）を測定する際には測定光学系の光路中に測定光束を遮る部材がなく、正確な測定ができる。また、構成が簡単である。
【００５３】
尚、上述した例では、レンズ受軸８６の昇降手段８３を駆動装置８１で回転させてアーム８４を水平回動させることにより、レンズ受軸８６を回動するアーム８４でレンズ支持位置と退避位置との２箇所に移動するようにしたが、必ずしもこれに限定されるものではない。例えば、レンズ受軸８６の昇降手段８３を直線的に進退駆動させることにより、レンズ受軸８６をレンズ支持位置と退避位置との２箇所で直線的に進退移動するようにしてもい。
【発明の実施の形態２】
【００５４】
[構成]
図１４〜図２９は、この発明の実施の形態２を示したものである。尚、発明の実施の形態２において、発明の実施の形態１と同じか又は類似する部分には発明の実施の形態１で用いた符号と同じ符号を付して説明する。
【００５５】
図１４において、装置本体１は、上部筐体部２，下部筐体部３及び筐体部２，３を連設している連設筐体部４を有する。この連設筐体部４は、下部筐体部３より幅広に形成されていて、連設筐体部４の前壁４ａから前側に突出する様に設けられている。この前壁４ａの左右の部分には、上下に延びるスリット４Ｓ，４Ｓが形成されている。また、連設筐体部４は、図１９，図２７R>７に示したように、左右の側壁４ｂ，４ｂと、側壁４ｂ，４ｂを覆うカバー板４ｃ，４ｃを有する。
＜レンズ受構造＞
下部筐体３の上壁７の左右の部分には、図１６，図１９に示すように、左右に延びる開口８が形成されている。この開口８の左右の部分には、前後に延び且つパターン板５４と同じに形成されたハルトマンのパターン板５４，６６が取り付けられている。
【００５６】
このパターン板５４，６６の上面の略中央部には、レンズ受構造としての棒状のレンズ受軸１００Ｌ，１００Ｒが上方に向けて突設されている。このレンズ受軸１００Ｌ，１００Ｒは、パターン板５４，６６の中心（測定光軸ＯＬ，ＯＲ）より左右に僅かに位置をずらして設けられている。尚、上壁７は、開口８により前側上壁部７ａと後側上壁７ｂに分けられている。
【００５７】
また、レンズ受軸１００Ｌ，１００Ｒの上端部は半球状に形成されてレンズ受部１００Ｌａ，１００Ｒａとなっている。これにより、メガネ５の眼鏡レンズＬＬ，ＬＲがレンズ受軸１００Ｌ，１００Ｒ上に図３０R>０の如く上方から支持させられたとき、眼鏡レンズＬＬ，ＬＲの後側屈折面のいずれの位置でも点で支持（点接触）できるようになっている。しかも、レンズ受部１００Ｌａ，１００Ｒａの上端の高さは同じに設定されている。
【００５８】
このレンズ受軸１００Ｌ，１００Ｒで支持される眼鏡レンズＬＬ，ＬＲは、次のレンズ押さえ機構で上方から押さえ付けられるようになっている。
＜レンズ押さえ機構＞
このレンズ押さえ機構は、連設筐体部４内の左右両側部に上下に向けて配設されたガイドロッド（ガイド部材）１０１，１０２と、ガイドロッド１０１の上下端部を側壁４ｂ，４ｂの一方に取り付けているブラケット１０３，１０３と、ガイドロッド１０２の上下端部を側壁４ｂ，４ｂの他方に取り付けているブラケット１０４，１０４を有する。このブラケット１０３，１０４は図示しないビスで側壁４ｂ，４ｂに着脱可能に取り付けられている。
【００５９】
また、レンズ押さえ機構は、ガイドロッド１０１，１０２間に配設されたスライドプレート（昇降部材）１０５と、スライドプレート１０５の一側部をガイドロッド１０１に上下動自在に支持している軸受１０６，１０６を有する。このスライドプレート１０５の他側部には、ガイドロッド１０２に係合するコ字状のガイド部（係合部）１０７が形成されている。
【００６０】
更に、レンズ押さえ機構は、前壁４ａの下部に突設され且つスライドプレート１０５の下方に位置するバネ受１０８と、スライドプレート１０５とバネ受１０８との間に介装されてスライドプレート１０５を下方にバネ付勢しているコイルスプリング（付勢手段）１０９と、一端部（後端部）がスライドプレート１０５の両側部にそれぞれ固定された一対のアーム１１０，１１０を有する。この一対のアーム１１０，１１０は、前側に延びていて、他端部（前端部）がスリット４Ｓ，４Ｓから突出させられている。また、図１４，図１６，図１９R>９に示したように、一対のアーム部１１０，１１０の前端部下縁には互いに接近する方向に突出する軸取付板部１１０ａ，１１０ａがそれぞれ一体に形成され、一対のアーム部１１０，１１０の前端部上縁には互いに離反する方向突出する操作部（操作ツマミ）１１０ｂ，１１０ｂが一体に形成されている。
【００６１】
また、レンズ押さえ機構は、軸取付板部１１０ａ，１１０ａ上に左右に向けてそれぞれ着脱可能に取り付けられた支持部材１１１，１１１と、支持部材１１１，１１１間に着脱可能に介装された軸取付部材１１２と、軸取付板部１１０ａ，１１０ａの下面にそれぞれ下方に向けて取り付けられたレンズ押さえ軸（レンズ押さえ部材）１１３Ｌ，１１３Ｒと、軸取付部材１１２の下面の左右両側部にそれぞれ下方に向けて取り付けられたレンズ押さえ軸（レンズ押さえ部材）１１４Ｌ，１１４Ｒを有する。このレンズ押さえ軸１１３Ｌ，１１３Ｒ，１１４Ｌ，１１４Ｒの下端部は半球状に形成されている。また、このレンズ押さえ軸１１３Ｌ，１１３Ｒの中心線を含む平面Ｓｃには、レンズ受軸１００Ｌ，１００Ｒの中心線が含まれる。更に、レンズ押さえ軸１１４Ｌ，１１４Ｒは、それぞれ前後方向に間隔をおいて一対設けられている。しかも、レンズ押さえ軸１１４Ｌ，１１４Ｌは平面Ｓｃを中心に対称に配置され、レンズ押さえ軸１１４Ｒ，１１４Ｒも平面Ｓｃを中心に対称に配置されている。従って、図１９に示したようにレンズ受軸１００Ｌはレンズ押さえ軸１１３Ｌ，１１４Ｌ，１１４Ｌの三点で形成される三角形内に入り、レンズ受軸１００Ｒはレンズ押さえ軸１１３Ｒ，１１４Ｒ，１１４Ｒの三点で形成される三角形内に入ることになるので、眼鏡レンズＬＬ，ＬＲを上方からそれぞれ３点支持して安定させることができる。
【００６２】
尚、図示は省略したが、操作部（操作ツマミ）１１０ｂ，１１０ｂを掴んでアーム１１０，１１０を上部筐体部２の近傍まで移動させたときに、アーム部１１０，１１０が上部筐体部２又は連設筐体部４に例えば係止爪等の係止手段（図示せず）で係止されるようになっている。この係止手段としては周知のものが採用できるので、その図示及び詳細な説明は省略する。
＜メガネフレーム保持機構＞
また、下部筐体部３内には、左右方向中央に位置させて下部筐体部３内に配設された仕切壁１１５が取り付けられている。この下部筐体部３にはメガネフレーム保持機構が設けられている。このメガネフレーム保持機構は、下部筐体３に設けられたフレーム前後方向位置決機構及び鼻当支持機構を有する。 尚、上壁部７ａ，７ｂの左右方向中央部には、図１９１９に示したように前後方向に延びるスリット１１６，１１７が形成されている。
＜フレーム前後方向位置決機構＞
このレンズ枠位置決機構は、図１９に示した様な左右に延び且つ前側上壁部７ａと後側上壁７ｂ上に配設された一対のフレーム保持部材（レンズ保持部材、レンズ枠保持部材）２８，２９（図１４〜図１６参照）と、図２０，図２５に示したように下部筐体部３内に配設された一対のリンク板（移動部材）１１８，１１９（図２１〜図２４参照）を有する。このリンク板１１８，１１９は、仕切壁１１５の一側面１１５ａの上部に沿って前後に向けて配設されている。
【００６３】
リンク板１１８は、図２０，図２４に示したように一端部に上方に向けて突設された取付片１１８ａと、図２０，図２２，図２４に示したように左右に間隔をおいて形成されたスリット１１８ｂ，１１８ｃと、他端部に下方に向けて突設された係合片１１８ｄと、係合片１１８ｄに下方に向けて形成された係合切欠１１８ｅを有する。そして、取付片１１８ａは、スリット１１６を介して上壁部７ａの上方に突出すると共に、フレーム保持部材２８に取り付けられている。
【００６４】
また、リンク板１１９は、長手方向の中間部に上方に向けて突設された取付片１１９ａと、一端部及び中間部に形成されたネジ穴１１９ｂ，１１９ｃと、他端部に上方に向けて突設された係合片１１９ｄと、係合片１１９ｄに上方に向けて形成された係合切欠１１９ｅを有する。そして、取付片１１９ａは、スリット１１７を介して上壁部７ｂの上方に突出すると共に、フレーム保持部材２９に取り付けられている。
【００６５】
しかも、ガイドネジ１２０，１２１は、リンク板１１８のスリット１１８ｂ，１１８ｃにそれぞれ挿通された後、先端部がリンク板１１９のネジ穴１１９ｂ，１１９ｃにそれぞれ螺着されていて、リンク板１１８，１１９を長手方向に相対的にスライド変位可能に結合（係合）させている。
【００６６】
更に、レンズ枠位置決機構は、図２０，図２１，図２７に示したように下部筐体部３の上部及び仕切壁１１５に対応して連設筐体部４の前壁４ａに形成された開口１２２と、開口１２２の側縁に後方（下部筐体部３内）に向けて突設された支持片１２３と、支持片１２３に取り付けられた支持ネジ１２４と、支持ネジ１２４を介して支持片１２３に取り付けられた回転板（連結部材）１２５を有する。この回転板１２５には１８０°の間隔をおいて係合ピン１２６，１２７が取り付けられ、係合ピン１２６，１２７にはリンク板１１８，１１９の係合切欠１１８ｅ，１１９ｅが係合している。しかも、リンク板１１８，１１９の取付片１１８ａ，１１９ａの基部間にはコイルスプリング１２８（図２０参照）が介装されていて、コイルスプリング１２８はフレーム保持部材２８，２９が互いに接近する方向にリンク板１１８，１１９をバネ付勢している。
＜鼻当支持機構＞
また、鼻当支持機構は、図２５，図２６R>６に示したように、仕切壁１１５の他側面１１５ｂに沿って上下に向けて配設されたスライドプレート（鼻当支持片）１２９と、スライドプレート１２９に上下に向けて形成された一対のガイドスリット１３０，１３１と、ガイドスリット１３０，１３１に挿通され且つ仕切壁１１５に螺着されたガイドネジ１３２，１３３を有する。このガイドネジ１３２，１３３は、スライドプレート１２９を上下にガイドするようになっている。
【００６７】
更に、鼻当支持機構は、ガイドネジ１３３の下方に位置させてスライドプレート１２９に突設されたバネ受け１２９ａと、ガイドネジ１３３とバネ受け１２９ａ間に介装されてスライドプレート１２９を下方にバネ付勢しているコイルスプリング（付勢手段）１３４と、スライドプレート１２９の下部に一体に設けられ且つ下部筐体部３の前壁３ｂの内面に沿って上下に摺動移動するガイド板部１２９ｂと、スライドプレート１２９の上端部に取り付けられた鼻当支持部材１３５を有する。この鼻当支持部材１３５は、図２５に示したように、スライドプレート１２９の上端部に固定された芯材１３５ａと、芯材１３５ａの上面及び側面を覆っているゴム，合成樹脂等からなる鼻当支持部１３５ｂを有する。
【００６８】
しかも、鼻当支持部材１３５は、図１９，図２６に示したように前後に向けて延びていると共に、左右の側面１３５ｃ，１３５ｄが下方に向かうに従って拡開するようなテーパ状のもの、或いは蒲鉾状のものを用いることができる。
【００６９】
この鼻当支持部材１３５に、メガネ５の左右のレンズ枠ＬＦ，ＲＦの鼻当ＮＰ，ＮＰが当接支持される。そして、この鼻当支持部材１３５にメガネ５の鼻当ＮＰ，ＮＰを支持させることにより、メガネ５のブリッジＢを装置本体１の左右方向の中央に位置させて、このメガネ５の眼鏡レンズＬＬ，ＬＲを装置本体１の左右に位置する右一対の測定光学系ＳＬ，ＳＲ（図２８参照）の光路に正確に臨ませることができる。
＜測定光学系＞
（左の測定光学系ＳＬ）
測定光学系ＳＬは、上部筐体部２内に内蔵された投光光学系（照明光学系）４７Ｌと、下部筐体部３に内蔵された受光光学系４８Ｌを有する。
【００７０】
投光光学系４７Ｌは、ＬＥＤ４９，５０（図１５，図１７参照）、コリメートレンズ５２、ダイクロイックミラー５３、全反射ミラーＭからなっている。ＬＥＤ４９は赤外光を発し、ＬＥＤ５０は赤色光（波長６３０ｎｍ）を発する。ダイクロイックミラー５３は赤外光を反射し、赤色光を透過する。コリメートレンズ５２はＬＥＤ４９，５０から発生した発散光束を測定光束としての平行光束に変換する役割を果たす。
【００７１】
また、受光光学系４８Ｌは、ハルトマンのパターン板５４、フィールドレンズ５５、反射ミラー５６，５７，５７ａ、光路合成プリズム５８、結像レンズ５９、ＣＣＤ６０を有する（図１５，図１８参照）。パターン板５４には多数の光透過部（図示せず）がマトリックス状に設けられている。
【００７２】
尚、レンズ受軸１００Ｌの軸線（中心線）は、測定光学系ＳＬの測定光軸と平行に設けられている。
（右の測定光学系ＳＲ）測定光学系ＳＲは、上部筐体部２内に内蔵された投光光学系（照明光学系）４７Ｒと、下部筐体部３に内蔵された受光光学系４８Ｒを有する。
【００７３】
投光光学系４７Ｒは、ＬＥＤ６１，６２（図１５，図１７参照）、コリメートレンズ６４、ダイクロイックミラー６５、全反射ミラーＭからなっている。ＬＥＤ６１は赤外光を発し、ＬＥＤ６２は赤色光（波長６３０ｎｍ）を発する。ダイクロイックミラー６５は赤外光を反射し、赤色光を透過する。コリメートレンズ６４はＬＥＤ６１，６２から発生した発散光束を測定光束としての平行光束に変換する役割を果たす。
【００７４】
また、受光光学系４８Ｒは、ハルトマンのパターン板６６、フィールドレンズ６７、反射ミラー６８，６８ａ、光路合成プリズム５８、結像レンズ５９、ＣＣＤ６０を有する（図１５，図１８参照）。パターン板６６には多数の光透過部（図示せず）がマトリックス状に設けられている。
【００７５】
尚、レンズ受軸１００Ｒの軸線（中心線）は、測定光学系ＳＬの測定光軸と平行に設けられている。本実施例でも、左の測定光学系ＳＬと右の測定光学系ＳＲの受光素子を共通のＣＣＤ６０としたが、このＣＣＤ６０は左の測定光学系ＳＬと右の測定光学系ＳＲのそれぞれに個別に設けてもよい。この場合には、左右の眼鏡レンズＬＬ，ＬＲの屈折特性を完全に同時に測定できる。
＜制御回路＞
そして、ＣＣＤ６０からの出力は演算制御回路６９に入力される。この演算制御回路６９は、ＣＣＤ６０からの検出信号に基づいてメガネ５の左右の眼鏡レンズＬＬ，ＬＲの多数の点の屈折特性を求めて、屈折特性のマッピングデータを得るようになっている。しかも、演算制御回路６９は、この求めた屈折特性のマッピングデータから眼鏡レンズＬＬ，ＬＲの光軸間距離や球面度数Ｓ，円柱度数Ｃ，円柱軸角度Ａ等の屈折特性，遠用部や近用部の屈折度数或いは累進レンズの加入度数等の屈折特性を求めることができるようになっている。また、演算制御回路６９は、この様にした求めた光軸間距離や屈折特性を図示しない他の眼科装置に送信手段（ネットワークやケーブル，無線）を介して送信できる様になっている。
[作用]
次に、この様な構成のレンズメータの作用を説明する。
（１）メガネの保持
この様な構成においては、上部筐体部２の近傍の位置でアーム１１０，１１０を図示しない係止手段で上部筐体部２又は連設筐体部４に係止させることにより、レンズ押さえ軸１１３Ｌ，１１４Ｌ及び１１３Ｒ，１１４Ｒを左右のハルトマンのパターン板５４及び６６から上方に大きく離間させた退避位置に保持させておくことができる。また、係止手段によるアーム１１０，１１０の下方への移動規制を解除することで、スライドプレート１０５が軸受１０６，１０６及びガイド部１０７を介してガイドロッド１０１，１０２に沿って下方に移動可能となる。しかも、スライドプレート１０５はコイルスプリング１０９で下方にバネ付勢されているので、操作部（操作ツマミ）１１０ｂ，１１０ｂを掴んだ状態で係止手段によるアーム１１０，１１０の下方への移動規制を解除した後、操作部（操作ツマミ）１１０ｂ，１１０ｂを下方に移動させることで、アーム１１０，１１０及びレンズ押さえ軸１１３Ｌ，１１４Ｌ及び１１３Ｒ，１１４Ｒを下方に緩やかに移動させることができる。
【００７６】
また、フレーム保持部材２８，２９の対向面は、パターン板５４，６６の中心（左右の測定光学系ＳＬ，ＳＲの測定光軸ＯＬ，ＯＲ）までの距離が等しく設けられている。しかも、フレーム保持部材２８をコイルスプリング１２８のバネ力に抗して手前側（図２０中、右側）に引くことで、リンク板１１８が図２０中右側に移動させられる。これに伴い、回転板１２５が支持ネジ１２４を中心に反時計回り方向に回動させられ、リンク板１１９が図２０中左側に移動させられ、フレーム保持部材２８，２９の間隔が広げられることになる。この際、フレーム保持部材２８，２９の間隔は同量だけ間隔が広がる方向に移動させられる。
【００７７】
逆に、この引張り力を解除することで、リンク板１１８，１１９及び回転板１２５はコイルスプリング１２８のバネ力により上述とは逆に作動して、フレーム保持部材２８，２９の間隔が狭められることになる。この際、フレーム保持部材２８，２９の間隔は同量だけ間隔が狭まる方向に移動させられる。
【００７８】
尚、フレーム保持部材２８，２９の対向面は、パターン板５４，６６の中心（左右の測定光学系ＳＬ，ＳＲの測定光軸ＯＬ，ＯＲ）までの距離が等しく設けられている。
【００７９】
従って、フレーム保持部材２８，２９の間隔を広げたり狭めたりしても、フレーム保持部材２８からパターン板５４，６６の中心（左右の測定光学系ＳＬ，ＳＲの測定光軸ＯＬ，ＯＲ）までの距離と、フレーム保持部材２９からパターン板５４，６６の中心（左右の測定光学系ＳＬ，ＳＲの測定光軸ＯＬ，ＯＲ）までの距離とが常時等しい状態となっている。
【００８０】
ところで、メガネ５の左右の眼鏡レンズＬＬ，ＬＲの屈折特性等を測定するには、左右の眼鏡レンズＬＬ，ＬＲをレンズ受軸１００Ｌ，１００Ｒ上に当接させると共に、左右の眼鏡レンズＬＬ，ＬＲを上方からレンズ押さえ軸１１３Ｌ，１１４Ｌ及び１１３Ｒ，１１４Ｒで押さえる必要がある。
【００８１】
このためには、先ずレンズ押さえ軸１１３Ｌ，１１４Ｌ及び１１３Ｒ，１１４Ｒを上述の退避位置に保持させた状態で、フレーム保持部材２８を手前側に引くことによりフレーム保持部材２８，２９の間隔を上述したように広げて、メガネ５のメガネフレームＭＦをフレーム保持部材２８，２９間に配設することができるようにする。この状態で、メガネ５のメガネフレームＭＦをフレーム保持部材２８，２９間に配設すると共に、メガネ５の鼻当ＮＰ，ＮＰを鼻当支持部材１３５の左右の側面１３５ｃ，１３５ｄに当接支持させることにより、メガネ５のブリッジＢを装置本体１の左右方向の中央に位置させて、このメガネ５の眼鏡レンズＬＬ，ＬＲを装置本体１の左右に位置する右一対の測定光学系ＳＬ，ＳＲ（図１３と同じ）の光路に臨ませる。この際、テンプルＬＴ，ＲＴは下部筐体部３の左右側方に配設される。
【００８２】
次に、メガネ５のブリッジＢを押圧して、鼻当支持部材１３５をコイルスプリング１３４のバネ力に抗して押し下げることにより、メガネ５の左右の眼鏡レンズＬＬ，ＬＲの後側屈折面（下面）をハルトマンプレートであるパターン板５４，６６上に図３０の如く当接支持させる。一方、フレーム保持部材２８から引張り力を徐々に解除して、フレーム保持部材２８，２９の間隔を狭め、フレーム保持部材２８，２９でメガネ５のメガネフレームＭＦを挟持させる。この際、フレーム保持部材２８からパターン板５４，６６の中心までの距離とフレーム保持部材２９からパターン板５４，６６の中心までの距離が常時等しい状態で、フレーム保持部材２８，２９の間隔が狭まる。このため、メガネフレームＭＦが手前側或いは後側に偏った状態で配置されていても、メガネフレームＭＦが偏っている側とは反対側にフレーム保持部材２８又は２９で押圧変位させられて、鼻当ＮＰ，ＮＰが鼻当支持部材１３５の長手方向に移動させられる。そして、最終的には、メガネ５の左右の眼鏡レンズＬＬ，ＬＲの前後方向の中心線が略パターン板５４，６６の中心（左右の測定光学系ＳＬ，ＳＲの測定光軸ＯＬ，ＯＲ）と一致した状態で、メガネフレームＭＦがフレーム保持部材２８，２９間に挟持されることになる。
【００８３】
この後、操作部（操作ツマミ）１１０ｂ，１１０ｂを掴んだ状態で係止手段によるアーム１１０，１１０の下方への移動規制を解除し、操作部（操作ツマミ）１１０ｂ，１１０ｂを下方に移動させることで、アーム１１０，１１０及びレンズ押さえ軸１１３Ｌ，１１４Ｌ及び１１３Ｒ，１１４Ｒを下方に緩やかに移動させて、レンズ押さえ軸１１３Ｌ，１１４Ｌ及び１１３Ｒ，１１４Ｒを左右の眼鏡レンズＬＬ，ＬＲの上面（前側屈折面）上にコイルスプリング１０９のバネ力で圧接させる。この状態では、図２９の如くアーム１１０，１１０及びレンズ押さえ軸１１３Ｌ，１１４Ｌ及び１１３Ｒ，１１４Ｒが下方のレンズ押さえ位置に位置している。
【００８４】
尚、レンズ押さえ軸１１４Ｌ，１１４Ｒはそれぞれ２つ設けられていて、レンズ押さえ軸１１４Ｌ，１１４Ｌは平面Ｓｃを中心に対称に配置され、レンズ押さえ軸１１４Ｒ，１１４Ｒも平面Ｓｃを中心に対称に配置されているいる。従って、眼鏡レンズＬＬの上面はレンズ受軸１００Ｌに対してレンズ押さえ軸１１３Ｌ，１１４Ｌ，１１４Ｌの三点で押さえ付けられ、眼鏡レンズＬＲの上面はレンズ受軸１００Ｒに対してレンズ押さえ軸１１３Ｒ，１１４Ｒ，１１４Ｒの三点で押さえ付けられることになる。これにより、眼鏡レンズＬＬ，ＬＲは前後方向がコイルスプリング１０９のバネ力で水平となる方向に保持されることになる。
（２）屈折特性測定
一方、演算制御回路６９は、測定光学系ＳＬのＬＥＤ４９，５０を順番に点灯させて、眼鏡レンズＬＬの測定を行う。この際、ＬＥＤ４９からの測定光束は、ダイクロイックミラー５３及び全反射ミラーＭで反射した後、コリメートレンズ５２により平行光束とされて眼鏡レンズＬＬに投光される。これに伴い、眼鏡レンズＬＬを透過した測定光束は、パターン板５４を透過して、フィールドレンズ５５、反射ミラー５６，５７、光路合成プリズム５８、結像レンズ５９を介してＣＣＤ６０に案内され、ＣＣＤ６０上にパター板５４のパターン像を結像させる。
【００８５】
また、ＬＥＤ５０からの測定光束は、ダイクロイックミラー５３を透過して全反射ミラーＭで反射した後、コリメートレンズ５２で平行光束にされて眼鏡レンズＬＬに投光される。これに伴い、眼鏡レンズＬＬを透過した測定光束は、パターン板５４を透過して、フィールドレンズ５５、反射ミラー５６，５７，５７ａ、光路合成プリズム５８、結像レンズ５９を介してＣＣＤ６０に案内され、ＣＣＤ６０上にパター板５４のパターン像を結像させる。
【００８６】
そして、演算制御回路６９は、ＣＣＤ６０に結像されたパター像の状態から眼鏡レンズＬＬの各部の屈折特性を測定して、屈折特性のマッピングデータを求める。
【００８７】
この後、演算制御回路６９は、測定光学系ＳＲのＬＥＤ６１，６２を順番に点灯させて、眼鏡レンズＬＲの測定を行う。この際、ＬＥＤ６１からの測定光束は、ダイクロイックミラー６５及び全反射ミラーＭで反射した後、コリメートレンズ６４で平行光束にされて眼鏡レンズＬＲに投光される。これに伴い、眼鏡レンズＬＲを透過した測定光束は、パターン板６６を透過して、フィールドレンズ６７、反射ミラー６８，６８ａ、光路合成プリズム５８、結像レンズ５９を介してＣＣＤ６０に案内され、ＣＣＤ６０上にパター板６６のパターン像を結像させる。
【００８８】
また、ＬＥＤ６２からの測定光束は、ダイクロイックミラー６５を透過して全反射ミラーＭで反射した後、コリメートレンズ６４で平行光束にされて眼鏡レンズＬＲに投光される。これに伴い、眼鏡レンズＬＲを透過した測定光束は、パターン板６６を透過して、フィールドレンズ６７、反射ミラー６８、光路合成プリズム５８、結像レンズ５９を介してＣＣＤ６０に案内され、ＣＣＤ６０上にパター板５４のパターン像を結像させる。
【００８９】
そして、演算制御回路６９は、ＣＣＤ６０に結像されたパターン像の状態から眼鏡レンズＬＲの各部の屈折特性を測定して、屈折特性のマッピングデータを求める。また、演算制御回路６９は、この様にした求めた光軸間距離や屈折特性を図示しない他の眼科装置に送信手段（ネットワークやケーブル，無線）を介して送信できる様になっている。
【００９０】
本実施例では、レンズ受に棒状のレンズ受軸１００Ｌ，１００Ｒを用いて、レンズ受による眼鏡レンズの支持面積を最小にしているので、レンズ受が屈折測定に際して測定光束の邪魔となる面積を最小にして、眼鏡レンズの屈折特性の分布を測定できる。尚、以上説明した実勢例では、レンズ受を棒状（ピン状）に成しているが、必ずしもこの構成に限定されるものではない。例えば、レンズ受を円錐状に形成して、眼鏡レンズを円錐状のレンズ受で点で支持することができるようにしても良い。
【００９１】
また、眼鏡レンズの下面（後側屈折面）の曲率半径は眼鏡レンズの屈折度数や眼鏡レンズのレンズ材質によって異なるため、眼鏡レンズの支持高さを正確に出すことにより、眼鏡レンズの屈折特性を正確に求めることが可能となる。
【００９２】
ところが、メガネの左右の眼鏡レンズＬＬ，ＬＲを同時に支持させる構成であるため、必ずしも左右の眼鏡レンズＬＬ，ＬＲの光軸とレンズ受とを一致させることができず、円筒状のレンズ受や多数のレンズ支持軸からなるレンズ受等により眼鏡レンズを支持させるようにした場合、眼鏡レンズの支持状態が一定しない状態も考えられる。しかし、本実施例に小池る様に、眼鏡レンズを一つのレンズ受で点で支持させることにより、円筒状のレンズ受や多数のレンズ支持軸からなるレンズ受等により眼鏡レンズを支持させるようにしたものに比べて、左右の眼鏡レンズを安定支持できる。
【００９３】
更に、発明の実施の形態２では、左右の眼鏡レンズＬＬ，ＬＲのレンズ押さえ軸１１３Ｌ，１１３Ｒをそれぞれ一つにしているが、レンズ押さえ軸１１３Ｌ，１１３Ｒをレンズ押さえ軸１１４Ｌ，１１４Ｒと同様に２つずつ設けることができる。
【発明の実施の形態３】
【００９４】
上述した発明の実施の形態２では、鼻当支持部材やレンズ押さえ部材を設けた構成としているが、これらは必ずしも必要ではない。例えば、図３２に示したように、パターン板５４，６６上に棒状のレンズ受軸１００Ｌ，１００Ｒをそれぞれ設けた構成としても良い。尚、他の構成及び作用は発明の実施の形態２と同じであるので、その説明は省略する。
【００９５】
この構成によれば、単にメガネ５の眼鏡レンズＬＬ，ＬＲの後側屈折面をレンズ受軸１００Ｌ，１００Ｒの上端に当接させるのみで、左右の眼鏡レンズＬＬ，ＬＲの屈折特性を測定できる。この場合、メガネ５のテンプルＲＴ，ＬＴを掴むか左右の眼鏡レンズＬＬ，ＬＲのメガネフレームＭＦを手で保持しているのみで、眼鏡レンズＬＬ，ＬＲの屈折特性を同時に簡易に測定できる。このメガネフレームＭＦはレンズ枠ＬＦ，ＲＦを有し、レンズ枠ＬＦ，ＲＦには眼鏡レンズＬＬ，ＬＲが枠入れされている。
【発明の実施の形態４】
【００９６】
この発明の実施の形態４は、発明の実施の形態３の構成において、図３３，図３４に示したようなフレーム支持装置３００を下部筐体部３に設けた構成としたものである。このフレーム支持装置３００は、メガネ５の左右のレンズ枠ＬＦ，ＲＦを支持して、メガネ５の自重で降下して眼鏡レンズＬＬ，ＬＲをレンズ受軸１００Ｌ，１００Ｒの上端に当接させるために用いられる。このフレーム支持装置３００は、左支持装置３００Ｌと右支持装置３００Ｒを有する。
【００９７】
この左支持装置３００Ｌと右支持装置３００Ｒは、下部筐体部３の側壁３ａ内面に上下に間隔をおいて一体に設けられたブラケット３０１，３０２と、上壁７の側部及びブラケット３０１，３０２を貫通して上下に延びる支持軸３０３と、支持軸３０３の上端部に一体に設けられ且つ前後方向に延びるフレーム支持用のアーム３０４と、ブラケット３０１，３０２間に位置して支持軸３０３の中間部に設けられたフランジ３０５と、支持軸３０３が挿通され且つブラケット３０２とフランジ３０５との間に介装されたコイルスプリング（付勢手段）３０６を有する。
【００９８】
このコイルスプリング３０６は、支持軸３０３を上方にバネ付勢して、アーム３０４をレンズ受軸１００Ｌ，１００Ｒの上端より上方に位置させている。また、コイルスプリング３０６のバネ力（付勢力）は、非常に弱く設定されていて、メガネ５の重量で撓んで圧縮される様になっている。
【００９９】
この構成によれば、メガネ５の左右のレンズ枠ＬＦ，ＲＦを左支持装置３００Ｌと右支持装置３００Ｒのアーム３０４，３０４上に載置すると、コイルスプリング３０６，３０６がメガネ５の自重で圧縮されて左右の支持軸３０３，３０３及びアーム３０４，３０４が下方に変位させられ、レンズ枠ＬＦ，ＲＦの眼鏡レンズＬＬ，ＬＲの後側屈折面がレンズ受軸１００Ｌ，１００Ｒの上端に点で支持される。この際、レンズ枠ＬＦ，ＲＦの前後方向における下方への倒れはアーム３０４，３０４により阻止されることになる。
【０１００】
この様な状態で左右の眼鏡レンズＬＬ，ＬＲの屈折特性が上述と同様にして測定される。
【０１０１】
この構成によれば、単にアーム３０４，３０４にメガネ５の左右のレンズ枠ＬＦ，ＲＦを載せるのみで、メガネ５を手で支えることなしに、眼鏡レンズＬＬ，ＬＲの屈折特性を同時に測定することができる。
（その他１）
尚、この発明の実施の形態では表示装置を設けていない例を図示したが、例えばカラーの液晶表示器２００を装置本体１の上部筐体部２の前面に設けて、この液晶表示器（表示手段）２００にマッピングデータを用いた眼鏡レンズＬＬ，ＬＲの屈折特性のマッピング表示を行うこともできる。また、この液晶表示器２００には、眼鏡レンズＬＬ，ＬＲの光軸間距離や上述の屈折特性等を表示させることもできる。
【０１０２】
また、鼻当支持部材１３５は連設筐体部４の前壁４ａに上下動自在に保持させることもできる。尚、鼻当支持部材１３５は必ずしもなくても測定は可能である。
（その他２）
更に、上述した発明の実施の形態１において、鼻当支持部材４５はフレーム保持部材２９に上下に変位できるように保持されているが、必ずしもこれに限定されるものではない。例えば、鼻当支持部材４５を左右のレンズ受機構８０Ｌ，８０Ｒ間に位置して上壁７上に固定して、この鼻当支持部材４５にメガネを支持させると共に、このメガネの眼鏡レンズＬＬ，ＬＲの下面（後側屈折面）までの高さをレンズ受機構８０Ｌ，８０Ｒのレンズ受軸８６，８６により測定できるようにしても良い。
【０１０３】
この場合、レンズ受機構８０Ｌ，８０Ｒの昇降手段８３，８３に駆動モータにより回転駆動される送りネジ機構を用い、この送りネジ機構でレンズ受軸８６を昇降駆動させるようにする。そして、この駆動モータにパルスモータを用いて、この駆動モータの駆動パルス数をカウントして、このカウント数からレンズ受軸８６の上端の昇降量を求めることにより、レンズ受軸８６の上端の高さを求めて、メガネの眼鏡レンズＬＬ，ＬＲの下面（後側屈折面）までの高さを求めるようにすることができる。このようにすることで、メガネの眼鏡レンズＬＬ，ＬＲの下面（後側屈折面）までの高さを正確に求めて、眼鏡レンズＬＬ，ＬＲの屈折特性を正確に測定することができる。
【０１０４】
尚、発明の実施の形態１において、下方に延びるリニアスケール又はマグネスケールのスケール本体（図示せず）の上端部をアーム８５に保持させると共に、回転台８２又は昇降手段８３の側面にスケール本体の移動量を光学的又は磁気的に読み取るリニアスケール又はマグネスケールの読取ヘッドを取り付けた構成として、このリニアスケール又はマグネスケール等の測定手段によりレンズ受軸８６の先端（上端）の高さを測定するようにしても良い。
【０１０５】
以上説明したように、この発明の実施の形態のレンズメータは、メガネ５のレンズ（眼鏡レンズＬＬ，ＲＬ）に測定光束を投影する投影光学系（４７Ｌ，４７Ｒ）、及び、前記メガネ５のレンズ（眼鏡レンズＬＬ，ＲＬ）を通過した測定光束を受光する受光素子（ＣＣＤ６０）が設けられた受光光学系（４８Ｌ，４８Ｒ）を備える測定光学系（ＳＬ，ＳＲ）と、前記投影光学系（４７Ｌ，４７Ｒ）と前記受光光学系（４８Ｌ，４８Ｒ）との間に配設される前記メガネ５のレンズ（眼鏡レンズＬＬ，ＲＬ）を支持させるレンズ（レンズ受軸８６）受を備えている。しかもレンズメータは、前記レンズ受（レンズ受軸８６）に支持される前記メガネ５にそれぞれ前後から当接して前記メガネを前後から挟持する保持部材２８，２９と、前記レンズ受（レンズ受軸８６）を前記測定光学系（ＳＬ，ＳＲ）の測定光路と該測定光路（ＳＬ，ＳＲ）外の退避位置で移動可能に移動可能にするレンズ受機構８０と、前記メガネ５が前記保持部材２８，２９により前後から挟持された後に、前記レンズ受機構８０を制御して前記レンズ受（レンズ受軸８６）を前記退避位置に退避させる制御回路（演算制御回路６９」）を有する。
【０１０６】
この構成によれば、メガネの左右の眼鏡レンズを測定する光学系の測定光軸上において眼鏡レンズの下面と受光光学系の受光手段までの距離を簡易な構成で一定にして、眼鏡レンズの正確な屈折特性を測定することができる。
【０１０７】
また、この発明の実施の形態のレンズメータの前記測定光学系は左右一対設けられている。
【０１０８】
更に、この発明の実施の形態のレンズメータでは、前記左右の測定光学系の測定光路に前記レンズ受をそれぞれ位置させたときに前記レンズ受間に位置する鼻当支持機構が設けられている。
【図面の簡単な説明】
【０１０９】
【図１】この発明に係るレンズメータの斜視図である。
【図２】図１のレンズメータの開口部分におけるレンズ受機構を取り外した状態の断面図である。
【図３】図２の開口とレンズ受機構の関係を示す概略説明図である。
【図４】図３レンズ受委機構とメガネとの関係を示す平面図である。
【図５】図１に示したレンズ押さえ機構の部分の断面図である。
【図６】図３のＣ−Ｃ線に沿う断面図である。
【図７】図６の作用説明図である。
【図８】図１の鼻当支持機構の取付部の断面図である。
【図９】図８のフレーム保持部材への鼻当支持機構の取付部の拡大図である。
【図１０】図９のＤ−Ｄ線に沿う断面図である。
【図１１】図８の鼻当支持機構を矢印Ｅ方向から見た説明図である。
【図１２】（ａ）は図１１のＦ−Ｆ線に沿う断面図、（ｂ）は鼻当支持部材の概略斜視図、（ｃ）は鼻当支持部材の変形例を示す概略斜視図である。
【図１３】図１〜図１２に示したレンズメータの測定光学系の説明図である。
【図１４】この発明の実施の形態２に係るレンズメータの斜視図である。
【図１５】図１４のレンズメータの側面図である。
【図１６】図１４のレンズメータのメガネをセットしていない状態の正面図である。
【図１７】図１４のレンズメータの平面図である。
【図１８】図１５のＡ−Ａ線に沿う断面図である。
【図１９】図１５のＢ−Ｂ線に沿う断面図である。
【図２０】図１６のＧ−Ｇ線に沿う断面図である。
【図２１】図２０のＨ−Ｈ線に沿う断面図である。
【図２２】図２０のＩ−Ｉ線に沿う断面図である。
【図２３】図２０の一方のリンク板の正面図である。
【図２４】図２０の他方のリンク板の正面図である。
【図２５】図１６に示した鼻当支持機構の断面図である。
【図２６】図２５の矢印Ｊ方向から見た断面図である。
【図２７】図１５のＫ−Ｋ線に沿う断面図である。
【図２８】図１４〜図２７に示したレンズメータの光学系を示す説明図である。
【図２９】図２９の手前側のフレーム保持部材の図示を省略した状態で、図１６のレンズメータに図１４の如くメガネをセットした状態の正面図である。
【図３０】図２９のメガネの眼鏡レンズの支持状態を示す要部拡大断面図である。
【図３１】図１４〜図２９にレンズメータに表示装置を設けた例を示す斜視図である。
【図３２】この発明のレンズメータの他の例を示す斜視図である。
【図３３】この発明のレンズメータの更に他の例を示す斜視図である。
【図３４】図３３の要部断面図である。
【符号の説明】
【０１１０】
５・・・メガネ
２６・・・レンズ押さえ軸（レンズ押さえ部材）
２８，２９…フレーム保持部材（保持部材）
４８Ｌ，４８Ｒ…受光光学系
４７Ｌ，４７Ｒ…投影光学系
６０…ＣＣＤ（受光素子）
６９…演算制御回路（制御回路）
８０…レンズ受機構
８６・・・レンズ受軸（レンズ受）
ＬＬ，ＲＬ…眼鏡レンズＬＬ，ＲＬ（レンズ）
ＳＬ，ＳＲ…測定光学系
【図１】
2006098409.tif 000003
【図２】
2006098409.tif 000004
【図３】
2006098409.tif 000005
【図４】
2006098409.tif 000006
【図５】
2006098409.tif 000007
【図６】
2006098409.tif 000008
【図７】
2006098409.tif 000009
【図８】
2006098409.tif 000010
【図９】
2006098409.tif 000011
【図１０】
2006098409.tif 000012
【図１１】
2006098409.tif 000013
【図１２】
2006098409.tif 000014
【図１３】
2006098409.tif 000015
【図１４】
2006098409.tif 000016
【図１５】
2006098409.tif 000017
【図１６】
2006098409.tif 000018
【図１７】
2006098409.tif 000019
【図１８】
2006098409.tif 000020
【図１９】
2006098409.tif 000021
【図２０】
2006098409.tif 000022
【図２１】
2006098409.tif 000023
【図２２】
2006098409.tif 000024
【図２３】
2006098409.tif 000025
【図２４】
2006098409.tif 000026
【図２５】
2006098409.tif 000027
【図２６】
2006098409.tif 000028
【図２７】
2006098409.tif 000029
【図２８】
2006098409.tif 000030
【図２９】
2006098409.tif 000031
【図３０】
2006098409.tif 000032
【図３１】
2006098409.tif 000033
【図３２】
2006098409.tif 000034
【図３３】
2006098409.tif 000035
【図３４】
2006098409.tif 000036